(57)【要約】【課題】押し釦毎に寿命時期を予測して、維持管理費の経費節減を図る。【解決手段】各呼び登録装置８，９に設けられた各押し釦２８，２１毎に呼び登録操作の稼働開始からの呼び登録回数を計数していく呼び登録回数カウンタ３６と、この呼び登録回数カウンタで計数されていく呼び登録回数における一定時間Δｔ経過する毎に対応する時刻における呼び登録回数を順次記憶していく呼び登録回数テーブル３５と、このテーブルに記憶された各呼び登録回数Ｙを用いて将来の指定時刻ｔ＝ｐの呼び登録回数Ｙｐを予測する呼び登録回数予測部３８と、この予測された呼び登録回数に基づいて当該押し釦の寿命到来時刻ｔｃを予測する寿命時期算出部４５を備えている。【選択図】図７
2009202992.tif 000002
【特許請求の範囲】
【請求項１】
建屋の各階の乗場に設けられた乗場呼び登録装置の押し釦を用いた呼び登録操作に応じてかごを当該階へ移動させるとともに、かご内に設けられたかご呼び登録装置の行き先階を指定する押し釦を用いた呼び登録操作に応じて当該かごを指定された階へ移動させるエレベータにおいて、
前記各呼び登録装置に設けられた各押し釦毎に呼び登録操作の稼働開始からの呼び登録回数を計数していく呼び登録回数計数手段と、
この呼び登録計数手段で計数されていく呼び登録回数における一定時間経過する毎に対応する時刻における呼び登録回数を順次記憶していく呼び登録回数記憶手段と、
この呼び登録回数記憶手段に記憶された各呼び登録回数を用いて将来の指定時刻の呼び登録回数を予測する呼び登録回数予測手段と、
この呼び登録回数予測手段にて予測された呼び登録回数に基づいて当該押し釦の寿命到来時刻を予測する寿命予測手段と
を備えたことを特徴とするエレベータの押し釦予防保全装置。
【請求項２】
前記呼び登録回数予測手段は、前記呼び登録回数記憶手段に記憶された複数の登録回数のうちの基準時刻と指定された時刻の呼び登録回数の単位時間当りの増加量を算出し、前記基準時刻から前記将来の指定時刻までの時間に前記単位時間当りの増加量を乗算してこの乗算値に前記基準時刻の呼び登録回数を加算することを特徴とする請求項１記載のエレベータの押し釦予防保全装置。
【請求項３】
前記基準時刻を操作指示にて変更可能にしたことを特徴とする請求項２記載のエレベータの押し釦予防保全装置。
【請求項４】
前記登録回数記憶手段にて、一定時間経過しても呼び登録回数が増加しない場合は、当該押し釦に対する異常発生を警告出力する異常判定手段を備えたことを特徴とする請求項１記載のエレベータの押し釦予防保全装置。
【請求項５】
前記異常判定手段にて異常発生が警告出力された後に、操作指示に基づいて前記異常発生の警告出力を解除する異常警告解除手段を備えたことを特徴とする請求項４記載のエレベータの押し釦予防保全装置。
【請求項６】
前記登録回数記憶手段に記憶された各押し釦毎の、現在時点における呼び登録回数、未来の指定された時刻の予測登録回数と、算出された寿命到来時刻を表示器の表示画面にグラフィック表示する表示出力手段を有したことを特徴とする請求項４記載のエレベータの押し釦予防保全装置。
【発明の詳細な説明】
【技術分野】
【０００１】
本発明は、ビル等の建屋に設置されたエレベータに係わり、特に各階の乗場やかご内に取り付けられ、利用者が操作する押し釦の寿命予測と故障検出とを行うエレベータの押し釦予防保全装置に関する。
【背景技術】
【０００２】
ビル等の建屋に設置されたエレベータにおいては、建屋の地下階から最上階まで上下に貫通する昇降路内にかごが収納されており、このかごはエレベータ制御装置によって上下方向に移動制御される。各階のエレベータホールの壁には、乗場呼び登録装置が設けられている。この各階の乗場呼び登録装置には、利用客がこの階へエレベータのかごを呼ぶための上方向の押し釦と下方向の押し釦との二つの押し釦が取付られている。また、前記かご内には、かご呼び登録装置がドア近傍の壁に固定されている。このかご呼び登録装置には、このかごに乗込んだ利用客が行き先階を指定する回数分の押し釦が取付られている。
【０００３】
そして、エレベータの主制御部は、各階の乗場呼び登録装置における押し釦操作による呼びや、かご内のかご呼び登録装置における押し釦操作による呼びが入力すると、かごをこの呼び登録が指定する階へ移動制御させる。
【０００４】
各階の乗場呼び登録装置、及びかご呼び登録装置に取付けられた押し釦内には、機械的接点が組込まれているので、長期間に亘って使用すると、接点摩耗、機械的部材の劣化等により正常に動作しなくなり、この押し釦の寿命が尽きることになる。
【特許文献１】特開２００６―３１２５０１号公報
【発明の開示】
【発明が解決しようとする課題】
【０００５】
この寿命が尽きる操作回数は、押し釦に使用されている材料の材質、仕様等によって変化するが、押し釦の製造メーカが実感的に定めた定格寿命回数は、１００万回から１０００万回程度である。その定格寿命回数に至る以前に、接点の荒れによる電気的寿命や摩耗による機械的寿命に至ることがある。また、使用条件によってはごみや汚れによるせりが生じる故障や、いたずらにより、押し釦を操作することができないという故障もある。
【０００６】
さらに、建屋の出入りに通じる例えば１階の乗場呼び登録装置に取付けられ上向きの押し釦の操作頻度は高いので、他の階の乗場呼び登録装置に取付けられた押し釦に比較して、操作回数が多いので、定格寿命回数に至る時期が短くなる。
【０００７】
この呼び登録装置に組込まれた各押し釦はそれぞれ定格寿命回数に至る時期が異なるので、一度に全部の押し釦を交換することは、最短の定格寿命回数に至る時期に交換することになり、まだ定格寿命回数に至っていない押し釦も交換することになり、エレベータ全体の維持管理費が上昇する懸念がある。
【０００８】
そのため、エレベータの定期検査での押し釦の動作状態や、利用者からの情報を基に、寿命・故障発生を推測して押し釦を交換していた。しかし、寿命・故障は突発的であるために、利用者に対するサービスが低下する問題がある。また、部品交換や部品手配が事前に準備できず、復旧作業に時間を要する問題がある。
【０００９】
なお、特許文献１には、各呼び登録装置で発生した各呼び登録をいかに効率的に各かごに割付けるかを、現在時点で発生している実呼び評価指数ΦＲ（ｋ）、と将来発生すると予測される将来呼び評価指数ΦＲ（ｋ）を直交座標に表示することにより、最適な割当を視覚的に得る技術が開示されている。
【００１０】
しかし、この特許文献１においては、各エレベータ（かご）の移動履歴が現在序点から将来に亘って均一になるよう制御できるが、各押釦の操作回数の均一化を図るものではない。
【００１１】
本発明はこのような事情に鑑みてなされたものであり、各呼び登録装置に取付けられている複数の押し釦の操作回数をそれぞれ個別に計数でき、各押し釦毎に寿命時刻（時期）を把握でき、かつ寿命に至るまでに発生する故障をも検出でき、エレベータ全体の維持管理費を低減できるとともに、利用客に対するサービスを向上できるエレベータの押し釦予防保全装置を提供することを目的とする。
【課題を解決するための手段】
【００１２】
本発明は、建屋の各階の乗場に設けられた乗場呼び登録装置の押し釦を用いた呼び登録操作に応じてかごを当該階へ移動させるとともに、かご内に設けられたかご呼び登録装置の行き先階を指定する押し釦を用いた呼び登録操作に応じて当該かごを指定された階へ移動させるエレベータに適用される。
【００１３】
そして、本発明のエレベータの押し釦予防保全装置は、各呼び登録装置に設けられた各押し釦毎に呼び登録操作の稼働開始からの呼び登録回数を計数していく呼び登録回数計数手段と、この呼び登録計数手段で計数されていく呼び登録回数における一定時間経過する毎に対応する時刻における呼び登録回数を順次記憶していく呼び登録回数記憶手段と、この呼び登録回数記憶手段に記憶された各呼び登録回数を用いて将来の指定時刻の呼び登録回数を予測する呼び登録回数予測手段と、この呼び登録回数予測手段にて予測された呼び登録回数に基づいて当該押し釦の寿命到来時刻を予測する寿命予測手段とを備えている。
【００１４】
また、他の発明においては、上記発明における呼び登録回数予測手段は、呼び登録回数記憶手段に記憶された複数の登録回数のうちの基準時刻と指定された時刻の呼び登録回数の単位時間当りの増加量を算出し、基準時刻から将来の指定時刻までの時間に単位時間当りの増加量を乗算してこの乗算値に基準時刻の呼び登録回数を加算している。
【００１５】
このように構成されたエレベータの押し釦予防保全装置においては、各押し釦の操作回数である呼び登録回数が計数されていき、一定時間経過する毎に対応する時刻における呼び登録回数が記憶されていく。そして、一定時間おきの登録回数から登録回数の単位時間当たりの登録回数の増加量が定まるので、将来の指定時刻の呼び登録回数を予測することが可能となる。将来の呼び登録回数が予測できれば、当該押し釦の呼び登録回数が例えば押し釦のメーカが予め定めた定格寿命回数に達する時期が算出可能となる。
【００１６】
また、別の発明は、上記発明のエレベータの押し釦予防保全装置において、基準時刻を操作指示にて変更可能にしている。この基準時刻における呼び登録回数を用いて、将来の指定時刻における呼び登録回数を予測しているので、何らかの要因にて、基準時刻における呼び登録回数が異常値を示す場合は、基準時刻をたとえば、他の呼び登録回数の時刻に変更することによって、将来の指定時刻における呼び登録回数の精度を維持できる。
【００１７】
また、別の発明は、上記発明のエレベータの押し釦予防保全装置において、登録回数記憶手段にて、一定時間経過しても呼び登録回数が増加しない場合は、当該押し釦に対する異常発生を警告出力する異常判定手段を備えている。この一定時間経過しても呼び登録回数が増加しない場合は、当該押し釦が故障していると見なせる。
【００１８】
また、別の発明は、上記発明のエレベータの押し釦予防保全装置において、異常判定手段にて異常発生が警告出力された後に、操作指示に基づいて前記異常発生の警告出力を解除する異常警告解除手段を備えている。一定時間経過しても呼び登録回数が増加しない場合は、この呼び登録の指定階をかごが停止しない階であることもある。この場合は、故障でないので、例えば保守員の操作で上記異常警告を解除可能としている。
【００１９】
また、別の発明は、上記発明のエレベータの押し釦予防保全装置において、登録回数記憶手段に記憶された各押し釦毎の、現在時点における呼び登録回数、未来の指定された時刻の予測登録回数と、算出された寿命到来時刻を表示器の表示画面にグラフィック表示する表示出力手段を有している。
【００２０】
このような構成においては、エレベータの保守員は、表示器の表示画面にグラフィック表示された、各押し釦毎のデータを一瞥するのみで、各押し釦の寿命到来時刻を把握できる。
【発明の効果】
【００２１】
本発明は、各呼び登録装置に取付けられている複数の押し釦の操作回数をそれぞれ個別に計数でき、各押し釦毎に寿命到来時刻を把握でき、かつ寿命に至るまでに発生する故障をも検出でき、エレベータ全体の維持管理費を低減できるとともに、利用客に対するサービスを向上できる。
【発明を実施するための最良の形態】
【００２２】
以下、本発明のエレベータの押し釦予防保全装置の一実施形態を図面を用いて説明する。図１は押し釦予防保全装置が組込まれたエレベータを示す模式図である。
【００２３】
ビル等の建屋に設置されたエレベータにおいては、建屋の地下階から最上階まで上下に貫通する昇降路１の上側の機械室内に巻上機２が配設され、この巻上機２に主ロープ３が掛けられ、この主ロープ３の一端にかご４が吊り下げられ、他端に釣合錘５が吊り下げられている。巻上機２は、制御盤６内に収納されている駆動部７で回転することによりかご４が昇降路１内を上下移動される。
【００２４】
建屋の各階のエレベータホールの壁には乗場呼び登録装置８が設けられている。各乗場呼び登録装置８で登録された呼びは、信号線１０を介して、制御盤６内に収納されている主制御部１１へ入力される。かご４内には、かご呼び登録装置９がドア近傍の壁に固定されている。このかご呼び登録装置９で登録された呼びは、テールコード１２を介して、制御盤６内に収納されている主制御部１１へ入力される。
【００２５】
制御盤６内には、このビルの管理室１４内に設置された監視装置１５に通信回線１６を介して接続された通信部１３が設けられている。さらに、制御盤６内には、管理室１４内に設置された「エレベータの押し釦予防保全装置」としての予防保全装置１７へ各呼び登録を信号線１８を介して送信する呼び送信部１９が設けられている。さらに、管理室１４内には、監視結果や予防保全結果を表示する表示器２０が設けられている。
【００２６】
図２（ａ）にかご４内に設けられたかご呼び登録装置９の操作部を示し、図３にかご呼び登録装置９の概略構成を示す。図２（ａ）において、操作部には、このかご４の行き先階を指定する複数の行き先階の押し釦２１が組込固定されている。また、ドア開閉操作を行う開閉釦２２が有り、上部にはかご４の運転方向を示す方向表示器２３、及びかご４の現在位置を表示するかご位置表示器２４が取付けられている。さらに、このかご呼び登録装置９には、異常警告を解除する解除スイッチ２５が設けられている。
【００２７】
図３のかご呼び登録装置９において、ＣＰＵ２６に対して、接点２１ａとＬＥＤ２１ｂとからなる１Ｆ〜６Ｆの各行き先階の押し釦２１、開閉釦２２、方向表示器２３、かご位置表示器２４、解除スイッチ２５が接続されている。さらに、このＣＰＵ２６にテールコード１２を介して制御盤６の主制御部１１との間で各種情報交換を実施するための通信部２７が接続されている。
【００２８】
このような構成のかご呼び登録装置９において、各行き先階の押し釦２１が押されると、接点２１ａが閉じ、ＬＥＤ２１ｂが点灯し、通信部２７からテールコード１２を介して制御盤６の主制御部１１へ行き先階を指定した「かご呼び」が送出される。
【００２９】
図２（ｂ）に各階に設けられた乗場呼び登録装置８の操作部を示し、図４に乗場呼び登録装置８の概略構成を示す。図２（ｂ）において、操作部には、上方向の押し釦２８と下方向の押し釦２８と、かご位置表示器２９が取付られている。
【００３０】
図４の乗場呼び登録装置８おいて、ＣＰＵ３０に対して、接点２８ａとＬＥＤ２８ｂとからなる上方向の押し釦２８と下方向の押し釦２８と、かご位置表示器２９と、信号線１０を介して制御盤６の主制御部１１との間で各種情報交換を実施するための通信部３１が接続されている。
【００３１】
このような構成の乗場呼び登録装置８において、各方向押し釦２８が押されると、接点２８ａが閉じ、ＬＥＤ２８ｂが点灯し、通信部３１から信号線１０を介して制御盤６の主制御部１１へ自己の階を指定した「乗場呼び」が送出される。
【００３２】
制御盤６の主制御部１１は、各階の乗場呼び登録装置８、かご呼び登録装置９から行先階を指定した呼びが入力すると、鼓動部７へこの呼びが指定する階へかご４の移動指令を送出する。その結果、巻上機２が回転してかご４が指定された階へ移動する。主制御部１１は、同時に、各階の乗場呼び登録装置８、かご呼び登録装置９から入力された階を指定した乗場呼び及びかご呼びを、呼び送信部１９を介して管理室１４内に設けられた予防保全装置１７へ送出する。
【００３３】
図５は、例えばコンピュータ等の情報処理装置で構成された予防保全装置１７の概略構成を示す模式図である。この予防保全装置１７内には、主制御部１１から階を指定した「乗場呼び（呼び登録）」、「かご呼び（呼び登録）」が入力される呼び入力部３２、各階の乗場呼び登録装置８及びかご呼び登録装置９に取付けられた各押し釦２８、２１毎に設けられた複数の釦寿命解析部３３、各呼び釦２１、２８の稼働開始からの経過時間ｔを計時する複数の経過時間タイマ３４、呼び登録回数テーブル３５、操作部４６等が設けられている。
【００３４】
この実施形態のエレベータは、６階建の建屋に組込まれているので、かご呼び登録装置９には、階で特定される合計６個の押し釦２１が解析対象に指定されている。また、１階の乗場呼び登録装置８には上向き押し釦２８のみが設けられ、６階の乗場呼び登録装置８には下向き押し釦２８のみが設けられている。したがって、６台の乗場呼び登録装置８で、方向及び階を指定した合計１０個の押し釦２８が解析対象に指定されている。その結果、１６個の釦寿命解析部３３が設けられている。
【００３５】
呼び入力部３２は、入力された［階」、又は「方向と階」を指定した呼び（呼び登録）の操作元の一つの押し釦２１、２８を判定して、当該押し釦２１、２８の釦寿命解析部３３へ今回入力した呼び（呼び登録）を送出する。
【００３６】
各釦寿命解析部３３には、この釦寿命解析部３３が解析対象とする一つの押し釦の稼働開始からの経過時間（時刻）ｔを計時するとともに、稼働開始から一定時間Δｔ経過する毎に、対応する釦寿命解析部３３へ時間割込指令を送出する経過時間タイマ３４が接続されている。したがって、押し釦を新規の押し釦に取り替えると、経過時間ｔはｔ＝０に初期化される。当然、新規にエレベータを構築した場合は、全ての経過時間タイマ３４は同一経過時間（時刻）ｔを計時する。
【００３７】
呼び登録回数テーブル３５内には、図６に示すように、解析対象の１６個の各押し釦２１、２８に対する稼働開始時点からの操作回数を示す呼び登録回数Ｙの一定時間Δｔ経過した各時点（時刻）ｔ＝１、２、…、（ｍ−２）、（ｍ−１）、ｍ、…における途中の登録回数Ｙ1、Ｙ2、…、Ｙm-2、Ｙm-1、Ｙm、…を順番に書き込む複数の領域３５ａが形成されている。さらに、この呼び登録回数テーブル３５には、将来の指定時刻ｔ＝ｐ、ｔ＝ｒにおける各予測呼び登録回数Ｙp、Ｙrを書込む領域３５ａも形成されている。
【００３８】
図７は、各釦寿命解析部３３の詳細構成図である。呼び登録回数カウンタ３６は、自己の釦寿命解析部３３が解析対象の押し釦２１、２８の稼働開始時点から呼び入力部３２から入力された呼び登録の回数Ｙを計数している。呼び登録回数書込部３７は、経過時間タイマ３４から一定時間Δｔ経過する毎の時間割込指令が入力すると、呼び登録回数カウンタ３６の呼び登録回数Ｙmを読み取って、呼び登録回数テーブル３５の自己の押し釦における対応する経過時間ｔ＝ｍの領域３５ａに書込む。
【００３９】
呼び登録回数予測部３８は、例えば操作部４６から将来の時刻ｔを措定した予測実行指令が入力すると、呼び登録回数テーブル３５の自己の押し釦における各領域３５ａに記憶されている各呼び登録回数Ｙを用いて、指定された将来の指定時刻ｔ＝ｐの呼び登録回数Ｙpを予測する。この予測方法を図８を用いて説明する。
【００４０】
例えば現在時刻における最新の領域３５ａの時刻（基準時刻）ｔ＝ｍの呼び登録回数Ｙmから、一つ前の時刻ｔ＝ｍ―１の呼び登録回数Ｙm-1を減算した値（Ｙm―Ｙm-1）が、一定時間Δｔ当りの呼び登録回数の増加量（Ｙm―Ｙm-1）となる。呼び登録回数Ｙが経過時間に比例して増加すると仮定すると、将来の指定時刻ｔ＝ｐの呼び登録回数Ｙpは下式で求まる。
【００４１】
Ｙp＝Ｙm＋（Ｙm―Ｙm-1）×（ｐ―ｍ）
そして、算出した将来の指定時刻ｔ＝ｐの予測呼び登録回数Ｙpを呼び登録回数テーブル３の時刻ｔ＝ｐの領域３５ａに書込む。
【００４２】
さらに、必要に応じてこの指定時刻ｔ＝ｐより先の指定時刻ｔ＝ｒにおける予測呼び登録回数Ｙrを算出して、呼び登録回数テーブル３の時刻ｔ＝ｒの領域３５ａに書込む。
【００４３】
定格寿命回数メモリ３９には、この押し釦２１、２８の製造メーカが安全性を考慮して設定した定格寿命回数Ｙcが記憶されている。寿命時期算出部４０は、呼び登録回数テーブル３５の各領域３５ａに記憶されている各呼び登録回数Ｙを用いて、呼び登録回数Ｙが定格寿命回数Ｙcに達する寿命時刻（時期）ｔcを算出する。図８に示すように、呼び登録回数Ｙは経過時間ｔの関数として、下式で示される。
【００４４】
Ｙ＝［（Ｙm―Ｙm-1）／Δｔ］・ｔ
この式に定格寿命回数Ｙcを代入することにより（Ｙ＝Ｙc）、寿命時刻（時期）ｔcは下式で求まる。
【００４５】
ｔc＝（Ｙc×Δｔ）／（Ｙm―Ｙm-1）
表示出力部４１は、自己の監視対象の押し釦２１、２８の呼び登録回数テーブル３５の現在時刻に最も近い領域３５ａの時刻である基準時刻ｔ＝ｍにおける呼び登録回数Ｙm、将来の指定時刻ｔ＝ｐの予測呼び登録回数Ｙp、定格寿命回数Ｙc、寿命時刻（時期）ｔcを外部の表示器２０に、図１０に示すように、他の各押し釦２１、２８の釦寿命解析部３３の解析結果と共に一つの表示画面にまとめてグラフィック表示する。
【００４６】
この図１０に示す、各押し釦２１、２８の寿命解析結果によると、各階に設けられた乗場呼び登録装置８に取付られた上向押し釦２８、下向押し釦２８、かご４内に設けられたかご呼び登録装置９に取付けられた行き先階を指定する各押し釦２１の稼働開始（ｔ＝０）からの一定時間Δｔ経過する時点における呼び登録回数Ｙは、押し釦２１、２８間で大きく変動するので、将来の指定時刻ｔ＝ｐ、ｔ＝ｒにおける予測呼び登録回数Ｙp、Ｙｒが大きく変動し、さらに、寿命時刻（時期）ｔcも大きく異なる。
【００４７】
例えば、建屋の出入りに通じる１階の乗場呼び登録装置８に取付けられ上向きの押し釦２８の操作頻度は高いので、他の階の乗場呼び登録装置８に取付けられた押し釦２８に比較して、操作回数が多いので、寿命時刻（時期）ｔcは、例えばかご呼び登録装置９の６階を指定する押し釦２１の寿命時期（時刻）ｔcの半分程度である。
【００４８】
したがって、エレベータの保守員は、定期点検時に管理室１４内に設けられた予防保全装置１７を操作して表示器２０の表示画面に図１０に示す各押し釦２１、２８の呼び登録回数解析結果を表示させることによって、各押し釦２１、２８の寿命時刻（時期）ｔcを把握できる。さらに、将来の指定時刻ｔ＝ｐ、ｔ＝ｒにおける予測呼び登録回数Ｙp、Ｙｒを把握できるので、次回の点検時期を的確に設定できると共に、寿命時刻（時期）ｔcが近づいた、押し釦２１、２８の交換準備をすることができる。当然、寿命時期（時刻）ｔcが近づいた、押し釦２１、２８のみを交換すればよいので、エレベータ全体の保守管理費を節減できる。さらに、一部の押し釦２１、２８が突然故障する可能性が低下するので、利用客に対するサービスを向上できる。
【００４９】
押し釦２１、２８を交換した場合は、対応する釦寿命解析部３３の経過時間タイマ３４の時刻（時間）ｔをｔ＝０に初期設定する。
【００５０】
図１１は、表示器２０に表示する現在時刻である基準時刻ｔ＝ｍにおける呼び登録回数Ｙm、将来の指定時刻ｔ＝（ｍ＋１０年）；１０年後、ｔ＝（ｍ＋２０年）；２０年後、ｔ＝（ｍ＋３０年）；３０年後における各予測呼び登録回数Ｙp10、Ｙp20、Ｙp30、及び定格寿命回数Ｙｃを表示器２０に示した図である。この図１１の表示を「表示モード１０年」とする。
【００５１】
また、図１２は、表示器２０に表示する現在時刻である基準時刻ｔ＝ｍにおける呼び登録回数Ｙm、将来の指定時刻ｔ＝（ｍ＋１年）；１年後、ｔ＝（ｍ＋２年）；２年後、ｔ＝（ｍ＋３年）；３年後における各予測呼び登録回数Ｙp1、Ｙp2、Ｙp3を表示器２０に示した図である。この図１２の表示を「表示モード１年」とする。
【００５２】
そして、「表示モード１０年」と「表示モード１年」との相異点は、経過時間タイマ３４における稼働開始から釦寿命解析部３３へ時間割込指令を送出する時間間隔（一定時間Δｔ）であり、この時間間隔（一定時間Δｔ）を１０：１に計算し直している。
【００５３】
なお、図１１、１２においては、かご４のかご呼び登録装置９の１Ｆから６Ｆの各呼び釦２１に対する解析結果を表示した。表示画面上で「表示モード」を選択可能である。
【００５４】
次に、図７の釦寿命解析部３３の異常検出部４２、警報出力部４３、警報解除部４４、及び採用基準変更部４６の動作を図９を用いて説明する。
【００５５】
異常検出部４２は、呼び登録回数テーブル３５の各呼び登録回数Ｙを監視して、図９に示すように、一定時間Δｔ経過しても呼び登録回数カウンタ３９の呼び登録回数Ｙが増加しない場合、例えば、ｔ＝ｍ−１の領域３５ａの呼び登録回数Ｙm-1が、ｔ＝ｍの領域３５ａの呼び登録回数Ｙmに等しい（Ｙm＝Ｙm-1）場合は、当該押し釦２１、２８は故障等の異常が発生したと判定する。警報出力部４３は、異常検出部４２で判定された当該押し釦２１，２８の異常発生の警告を表示器２０に表示出力する。
【００５６】
エレベータの保守員は、表示器２０で当該押し釦２１、２８の異常発生の警告を確認すると、エレベータの実際の当該押し釦２１、２８の呼び登録が出力されない原因を調べて、原因が当該押し釦２１、２８の指定する階が当該階に入居していたテナントが引っ越して、当該階に行く利用者が居なくなったことに起因すると判断する。この場合は、図２（ａ）の解除スイッチ２５を押すと、図７の警報解除部４４が動作して、異常検出部４２の異常検出状態を解除すると共に、警報出力部４３の表示器２０に対する警報出力状態を解除する。
【００５７】
すなわち、ある一定期間Δｔの押し釦２１、２８の操作回数がゼロである場合に異常を知らせることにより、押し釦２１、２８の汚れやいたずれにより、押し釦２１、２８が動作不良となり操作されていないという故障部位の特定ができる。
【００５８】
次に採用基準変更部４５の動作を図９を用いて説明する。図示するように、前述した故障以外の原因で、基準時刻である時刻ｔ＝ｍの領域３５ａの呼び登録回数Ｙmが一つ前の時刻ｔ＝ｍ−１の領域３５ａの呼び登録回数Ｙm-1に等しい場合は、時刻ｔ＝ｍ以降は正常に動作するとみなして、将来の指定時刻ｔpの予測呼び登録回数Ｙpを算出する場合には、例えば、原理的には、基準時刻をｔ＝ｍからｔ＝ｍ−１に変更して、この変更後のｔ＝ｍ−１の領域３５ａの呼び登録回数Ｙm-1と一つ前のｔ＝ｍ−２の領域３５ａの呼び登録回数Ｙm-2時とを用いて、一定時間Δｔ当たりの増加量（Ｙm-1―Ｙm-2）を算出する。
【００５９】
そして、増加量（Ｙm-1―Ｙm-2）を用いて、下式で将来の指定時刻ｔpの予測呼び登録回数Ｙpを算出する。
【００６０】
Ｙp＝Ｙm＋（Ｙm-1―Ｙm-2）×（ｐ―ｍ）
この場合、呼び登録回数Ｙmは一つ前の呼び登録回数Ｙm-1に等しいので、予測呼び登録回数Ｙpは一つの増加量（Ｙm-1―Ｙm-2）だけ少ない。
【００６１】
このように、たとえ一定時間Δｔ呼び登録回数Ｙが入力されなかったとしても、ほぼ正しい予測呼び登録回数Ｙpが得られる。
【００６２】
また、エレベータの故障対策として、各押し釦２１、２２毎に、呼び登録回数を計数しているので、各押し釦２１、２２毎に寿命時刻（時期）ｔcを算出しているので、各押し釦２１、２２を最適時期で部品交換を実施することができる。
【００６３】
なお、本発明は、上述した実施形態に限定されるものではない。現在時刻ｔが寿命時刻（時期）ｔcに接近すると、表示器２０に、寿命時刻（時期）ｔcが接近していることを警告表示することが可能である。
【図面の簡単な説明】
【００６４】
【図１】本発明の一実施形態に係わるエレベータの押し釦予防保全装置が組込まれたエレベータの概略構成を示す模式図
【図２】同エレベータに組込まれたかご呼び登録装置及び乗場呼び登録装置の押し釦の配置図
【図３】同かご呼び登録装置の概略構成図
【図４】同乗場呼び登録装置の概略構成図
【図５】同実施形態の予防保全装置の概略構成を示す模式図
【図６】同予防保全装置内に設けられた呼び登録回数テーブルの記憶内容を示す図
【図７】同予防保全装置内に設けられた釦寿命解析部の詳細構成図
【図８】同予防保全装置における呼び登録回数の予測手順を説明するための図
【図９】同予防保全装置におけるデータ欠損を補う方法を説明するための図
【図１０】同予防保全装置の釦寿命解析部の解析結果を示す図
【図１１】同予防保全装置の釦寿命解析部の解析結果を１０年表示モードで表示する図
【図１２】同予防保全装置の釦寿命解析部の解析結果を１０年表示モードで表示する図
【符号の説明】
【００６５】
１…昇降路、２…巻上機、４…かご、６…制御盤、８…乗場呼び登録装置、９…かご呼び登録装置、１４…管理室、１５…監視装置、１７…予防保全装置、２０…表示器、２１，２８…押し釦、２５…解除スイッチ、２６，３０…ＣＰＵ、３２…呼び入力部、３３…釦寿命解析部、３４…経過時間タイマ、３５…呼び登録回数テーブル、３５ａ…領域、３６…呼び登録回数カウンタ、３７…呼び登録回数書込部、３８…呼び登録回数予測部、３９…定格寿命回数メモリ、４０…寿命時期算出部、４１…表示出力部、４２…異常検出部、４３…警報出力部、４４…警報解除部、４５…採用基準変更部、４６…操作部
【図１】
2009202992.tif 000003
【図２】
2009202992.tif 000004
【図３】
2009202992.tif 000005
【図４】
2009202992.tif 000006
【図５】
2009202992.tif 000007
【図６】
2009202992.tif 000008
【図７】
2009202992.tif 000009
【図８】
2009202992.tif 000010
【図９】
2009202992.tif 000011
【図１０】
2009202992.tif 000012
【図１１】
2009202992.tif 000013
【図１２】
2009202992.tif 000014